(57)【要約】【課題】  視聴前に動画像とこれに関連する静止画像との関係を把握することができる画像表示プログラム、画像表示方法及び画像表示装置を提供する。【解決手段】  通信部２０を介して受け取った動画像情報に基づき、時間軸構成部１０が時間軸を構成し、画像情報同期部１２が、動画像情報とこれに関連する静止画像情報との同期をとって対応付ける処理を行い、時間軸分割部１４は、時間軸を各静止画像情報に対応する動画像情報のシーン毎に分割する。時間軸と静止画像情報とは、表示制御部１６が表示部２４の表示画面に表示し、マウスにより所望の静止画像情報の表示の上にカーソルを重ねると、表示制御部１６が当該静止画像情報に対応する時間軸上の範囲を取得し、表示部２４の表示画面にハイライト表示する。【選択図】        図１
2006165824.tif 000002
【特許請求の範囲】
【請求項１】
ビデオ映像等の動画像情報と当該動画像情報に関連する静止画像情報との対応関係を表示する画像表示プログラムであって、
前記動画像情報の時間軸を表示し、
前記時間軸を、前記静止画像情報に関連する動画像情報のシーン毎に分割し、
前記静止画像情報を指定したときに、当該静止画像情報に対応する前記時間軸上の範囲を表示する処理をコンピュータに実行させることを特徴とする画像表示プログラム。
【請求項２】
請求項１記載の画像表示プログラムにおいて、前記時間軸上の範囲を指定したときに、当該範囲に対応する動画像情報を表示する処理をコンピュータに実行させることを特徴とする画像表示プログラム。
【請求項３】
ビデオ映像等の動画像情報と当該動画像情報に関連する静止画像情報との対応関係を表示する画像表示方法であって、
前記動画像情報の時間軸を表示するステップと、
前記時間軸を、前記静止画像情報に関連する動画像情報のシーン毎に分割するステップと、
前記静止画像情報を指定したときに、当該静止画像情報に対応する前記時間軸上の範囲を表示するステップと、
備えることを特徴とする画像表示方法。
【請求項４】
ビデオ映像等の動画像情報と当該動画像情報に関連する静止画像情報との対応関係を表示する画像表示装置であって、
前記動画像情報の時間軸を表示する時間軸表示手段と、
前記時間軸を、前記静止画像情報に関連する動画像情報のシーン毎に分割する時間軸分割手段と、
前記静止画像情報を指定したときに、当該静止画像情報に対応する前記時間軸上の範囲を表示する対応関係表示手段と、
を備えることを特徴とする画像表示装置。
【発明の詳細な説明】
【技術分野】
【０００１】
本発明は、ビデオ映像等の動画像情報と当該動画像情報に関連する静止画像情報との対応関係を表示するための画像表示プログラム、画像表示方法及び画像表示装置に関する。
【背景技術】
【０００２】
従来より、インターネット等の通信ネットワークを介してビデオコンテンツをユーザ端末に配信するシステムが実用化されている。
【０００３】
例えば、下記特許文献１には、本編映像情報とその要約映像情報とをネットワークを介してユーザ端末に配信し、ユーザが要約映像情報を見ることにより、配信されたビデオコンテンツの概要を簡単に知ることができるビデオコンテンツ配信システム等が開示されている。
【特許文献１】特開２００１−３２０６８６号公報
【発明の開示】
【発明が解決しようとする課題】
【０００４】
しかし、上記従来の技術においては、静止画像の取り扱いに関する技術は開示されておらず、ビデオ映像等の動画像とこれに関連する資料等の静止画像とが同期して進行するコンテンツにおいて、視聴前にユーザが動画像と静止画像との関係を把握するための手段を提供できなかった。
【０００５】
本発明は、上記従来の課題に鑑みなされたものであり、その目的は、視聴前に動画像とこれに関連する静止画像との関係を把握することができる画像表示プログラム、画像表示方法及び画像表示装置を提供することにある。
【課題を解決するための手段】
【０００６】
上記目的を達成するために、本発明は、ビデオ映像等の動画像情報と当該動画像情報に関連する静止画像情報との対応関係を表示する画像表示プログラムであって、前記動画像情報の時間軸を表示し、前記時間軸を、前記静止画像情報に関連する動画像情報のシーン毎に分割し、前記静止画像情報を指定したときに、当該静止画像情報に対応する前記時間軸上の範囲を表示する処理をコンピュータに実行させることを特徴とする。
【０００７】
また、上記プログラムにおいて、前記時間軸上の範囲を指定したときに、当該範囲に対応する動画像情報を表示する処理をコンピュータに実行させることを特徴とする。
【０００８】
また、本発明は、ビデオ映像等の動画像情報と当該動画像情報に関連する静止画像情報との対応関係を表示する画像表示方法であって、前記動画像情報の時間軸を表示するステップと、前記時間軸を、前記静止画像情報に関連する動画像情報のシーン毎に分割するステップと、前記静止画像情報を指定したときに、当該静止画像情報に対応する前記時間軸上の範囲を表示するステップと、備えることを特徴とする。
【０００９】
また、本発明は、ビデオ映像等の動画像情報と当該動画像情報に関連する静止画像情報との対応関係を表示する画像表示装置であって、前記動画像情報の時間軸を表示する時間軸表示手段と、前記時間軸を、前記静止画像情報に関連する動画像情報のシーン毎に分割する時間軸分割手段と、前記静止画像情報を指定したときに、当該静止画像情報に対応する前記時間軸上の範囲を表示する対応関係表示手段と、を備えることを特徴とする。
【発明を実施するための最良の形態】
【００１０】
以下、本発明を実施するための最良の形態（以下、実施形態という）を、図面に従って説明する。
【００１１】
図１には、本発明にかかる画像表示装置の一実施形態の構成のブロック図が示される。図１において、画像表示装置１は、時間軸構成部１０、画像情報同期部１２、時間軸分割部１４、表示制御部１６、記憶部１８、通信部２０、操作部２２、表示部２４を含んで構成されている。
【００１２】
時間軸構成部１０は、通信部２０等を介して受け取ったビデオ映像等の動画像情報に基づき、時間軸を構成する処理を行う。ここで、時間軸とは、動画像情報の映像を構成する各シーンの映像時間を表す表示であり、例えば帯状の図形に時間の目盛を付したものである。
【００１３】
画像情報同期部１２は、上記動画像情報と、これに関連する資料等の静止画像情報との同期をとり、両者を対応付ける処理を行う。この静止画像情報も、通信部２０等を介して受け取ることができる。
【００１４】
時間軸分割部１４は、動画像情報を静止画像情報に対応するシーン毎に分割し、この分割時点毎に上記時間軸上で対応する点に分割を示す情報を付与する。これにより、時間軸には、静止画像情報に対応する動画像情報のシーン毎の映像時間範囲が記録される。
【００１５】
表示制御部１６は、動画像情報、静止画像情報及び時間軸の表示部２４への表示を制御する。
【００１６】
記憶部１８は、例えばＣＰＵの作業用のＲＡＭ、不揮発性メモリとしてのＥＥＰＲＯＭ、磁気記憶媒体等で構成されており、動画像情報、静止画像情報及び時間軸等のデータ及びプログラムが記憶される。
【００１７】
通信部２０は、公知の方法により通信ネットワーク上のサーバ等と通信し、上述した動画像情報及び静止画像情報等を取得する処理を実行する。
【００１８】
操作部２２は、例えばキーボード、マウス等の領域指定手段等により構成され、ユーザが画像表示装置に所望の指示を入力するのに使用される。
【００１９】
表示部２４は、例えば液晶ディスプレイ等で構成され、上述した動画像情報、静止画像情報及び時間軸等を表示する。なお、動画像情報及び静止画像情報を表示する表示画面と、静止画像情報及び時間軸を表示する表示画面とを別々に設ければ、動画像情報と静止画像情報との関係の把握と、動画像情報と静止画像情報との閲覧とを分けることができ、ユーザにとっての利便性を向上できる。
【００２０】
図２には、図１に示された画像表示装置の動作の例のフローが示される。また、図３には、静止画像情報及び時間軸を表示する表示画面の例が示される。
【００２１】
図２において、通信部２０を介して通信ネットワーク上のサーバ等からビデオ映像等の動画像情報を取得すると（Ｓ１）、記憶部１８に記憶されるとともに、時間軸構成部１０が当該動画像情報に基づき、時間軸を構成する（Ｓ２）。なお、動画像情報の取得は通信ネットワーク上のサーバからに限定されず、例えば適宜な媒体から取得する構成としてもよい。
【００２２】
また、上記動画像情報とともに、またはこれと別に通信部２０が動画像情報の各シーンに関連する静止画像情報を取得すると（Ｓ３）、記憶部１８に記憶されるとともに、画像情報同期部１２が、動画像情報とこれに関連する静止画像情報との同期をとり、動画像情報の映像の進行に伴い、各シーンに関連する静止画像情報を順次表示できるように両者を対応付ける処理を行う（Ｓ４）。この動画像情報と静止画像情報との対応関係に関する情報も記憶部１８に記憶される。このとき、画像情報同期部１２は、静止画像情報に動画像情報において対応するシーンが表示される順に順番を設定し、記憶部１８に記憶する処理も行う。ここで、静止画像情報の取得は通信ネットワーク上のサーバからに限定されず、例えば適宜な媒体から取得する構成としてもよい。なお、動画像情報と静止画像情報とを同期させて表示部２４に表示する処理は、記憶部１８から表示制御部１６が動画像情報と静止画像情報とこれらの対応関係に関する情報を受け取って実行する。
【００２３】
次に、時間軸分割部１４は、画像情報同期部１２による動画像情報と静止画像情報との同期付けに基づき、時間軸を各静止画像情報に対応する動画像情報のシーン毎に分割する（Ｓ５）。この分割は、前述したように、動画像情報を静止画像情報に対応するシーン毎に分割し、この分割時点毎に上記時間軸上で対応する点に分割を示す情報を付与することにより行う。分割を示す情報としては、例えば分割点の時刻情報等を使用することができ、この情報も記憶部１８に記憶される。
【００２４】
次に、時間軸構成部１０が構成した時間軸と通信部２０が取得した静止画像情報とを、表示制御部１６が表示部２４の静止画像情報及び時間軸を表示する表示画面に表示する（Ｓ６）。ここで、時間軸構成部１０、表示制御部１６及び表示部２４により、本発明にかかる時間軸表示手段が構成される。
【００２５】
上記表示画面上で、操作部２２を構成するマウス等の領域指定手段により所望の静止画像情報の表示の上にカーソルを重ねると（Ｓ７）、表示制御部１６が当該静止画像情報に対応する時間軸上の範囲を取得し（Ｓ８）、表示部２４の表示画面に表示する（Ｓ９）。この場合の表示制御部１６及び表示部２４が、本発明にかかる対応関係表示手段として機能する。
【００２６】
このときの表示画面の様子が図３に示される。図３において、表示画面２６には、時間軸２８と静止画像情報Ａ、Ｂ、Ｃ、Ｄ、Ｅ、Ｆとが表示されている。ここで、操作部２２を構成するマウスによりカーソル３０を例えば静止画像情報Ｂに重ねると、この静止画像情報Ｂに対応する動画像情報におけるシーンの時間的範囲３２が時間軸２８上にハイライト表示される。この時間的範囲のハイライト表示は、時間軸分割部１４により時間軸２８上に設定された分割を示す情報を、表示制御部１６が記憶部１８から取得して形成する。これにより、操作部２２のマウスによって指定された静止画像情報に対応する動画像情報の表示開始から、画像情報同期部１２により設定された静止画像情報の順番で次の静止画像情報に対応する動画像情報に切り替わるまでの時間範囲が表示される。
【００２７】
以上の動作により、ユーザは動画像とこれに関連する静止画像との関係を視聴前に把握することができる。
【００２８】
なお、図３において、ハイライト表示された時間軸上の時間的範囲３２にカーソルを重ねることより、表示制御部１６が表示部２４の動画像情報及び静止画像情報を表示する表示画面に、指定された時間的範囲３２に対応する動画像情報のシーンを表示させるように構成するのが好適である。
【００２９】
上述した画像表示装置１の動作は、ＣＰＵを中心として構成されたコンピュータにより実行されてもよく、この場合、メモリカードその他の媒体に格納されたプログラムをＣＰＵが実行することで各機能が実現される。
【図面の簡単な説明】
【００３０】
【図１】本発明にかかる画像表示装置の一実施形態の構成のブロック図である。
【図２】図１に示された画像表示装置の動作の例のフロー図である。
【図３】静止画像情報及び時間軸を表示する表示画面の例を示す図である。
【符号の説明】
【００３１】
１０  時間軸構成部、１２  画像情報同期部、１４  時間軸分割部、１６  表示制御部、１８  記憶部、２０  通信部、２２  操作部、２４  表示部、２６  表示画面、２８  時間軸、３０  カーソル、３２  時間的範囲。
【図１】
2006165824.tif 000003
【図２】
2006165824.tif 000004
【図３】
2006165824.tif 000005